(57)【要約】      （修正有）【課題】ポリ袋収納／取出し装置及びそれとポリ袋の組合せを提供する。【解決手段】ポリ袋収納／取出し装置であって、ハウジング１１、ポリ袋固定機構、袋ロッキング機構を有し、ハウジングは、袋取り出し口１０３を有し、ポリ袋固定機構は、ロール連続ポリ袋の固定に用い、ポリ袋固定機構は、ハウジングにローリング可能なように設置され、袋ロッキング機構は、ハウジングに設置され、ポリ袋固定機構のローリングのロックに選択的に用いられ、袋ロッキング機構が、ポリ袋固定機構をロックすると、ロール連続ポリ袋は、ポリ袋固定機構に従いローリングすることはなく、ポリ袋固定機構に対する袋ロッキング機構のロックを解除すると、ロール連続ポリ袋は、ポリ袋固定機構に従い、ローリングする。【選択図】図４
0003230946.tif 000002
【実用新案登録請求の範囲】
【請求項１】
ポリ袋収納／取出し装置であって、ハウジング、ポリ袋固定機構、袋ロッキング機構を有し、
前記ハウジングは、袋取り出し口を有し、
前記ポリ袋固定機構は、ロール連続ポリ袋の固定に用い、前記ポリ袋固定機構は、前記ハウジングにローリング可能なように設置され、
前記袋ロッキング機構は、前記ハウジングに設置され、前記ポリ袋固定機構のローリングのロックに選択的に用いられ、
前記袋ロッキング機構が、前記ポリ袋固定機構をロックすると、前記ロール連続ポリ袋は、前記ポリ袋固定機構に従いローリングすることはなく、
前記ポリ袋固定機構に対する前記袋ロッキング機構のロックを解除すると、前記ロール連続ポリ袋は、前記ポリ袋固定機構に従い、ローリングする
ことを特徴とする、
ポリ袋収納／取出し装置。
【請求項２】
前記ハウジングは、筒状を呈し、その内部一端には、ロール芯定位端を有し、内部の反対端には、前記ポリ袋固定機構及び前記袋ロッキング機構を設置する
ことを特徴とする、
請求項１に記載のポリ袋収納／取出し装置。
【請求項３】
前記ポリ袋が、前記袋取り出し口から外へと引き出されると、前記ポリ袋固定機構は順方向にローリングし、
引込機構をさらに設置し、前記引込機構は、前記ポリ袋固定機構の反対方向へのローリングを制御する引込ローリング部を有し、
前記引込機構と前記袋ロッキング機構は、前記ハウジングの同側に設置され、前記引込ローリング部は、前記袋ロッキング機構及び前記ポリ袋固定機構を連動し、いっしょに反対方向へローリングされ、これにより前記ポリ袋は前記袋取り出し口から内側へと引き込まれローリングされ、
或いは前記引込機構と前記袋ロッキング機構を、前記ハウジングの反対側に設置し、前記ポリ袋固定機構に対する前記袋ロッキング機構のロック状態を解除することで、前記引込ローリング部は、前記ポリ袋固定機構を連動し、反対方向へローリングし、これにより前記ポリ袋は前記袋取り出し口から内側へと引き込まれローリングされる
ことを特徴とする、
請求項１に記載のポリ袋収納／取出し装置。
【請求項４】
前記袋ロッキング機構は、ボタンを有し、前記ボタンは、第一ローリング限定部を有し、
前記ボタンを押すと、前記第一ローリング限定部は、前記ポリ袋固定機構のローリング方向において停止を形成し、
再度前記ボタンを押すと、前記第一ローリング限定部は、前記ポリ袋固定機構のローリング方向における停止を解除する
ことを特徴とする、
請求項１に記載のポリ袋収納／取出し装置。
【請求項５】
前記袋ロッキング機構は、スライドブロックを有し、前記スライドブロックは、第二ローリング限定部を有し、
前記スライドブロックを順方向に動かすと、前記第二ローリング限定部は、前記ポリ袋固定機構のローリング方向において停止を形成し、
前記スライドブロックを反対方向に動かすと、前記第二ローリング限定部は、前記ポリ袋固定機構のローリング方向における停止を解除する
ことを特徴とする、
請求項１に記載のポリ袋収納／取出し装置。
【請求項６】
前記袋ロッキング機構は、ロータリーノブを有し、前記ロータリーノブは、第三ローリング限定部を有し、
順方向に前記ロータリーノブを回すと、前記第三ローリング限定部は、前記ポリ袋固定機構の端面に至るまで前記ポリ袋固定機構へと移動し、接触して緊密に係合され、前記ポリ袋固定機構は、ローリングできず、
反対方向に前記ロータリーノブを回すと、前記第三ローリング限定部は、前記ポリ袋固定機構から離れ、前記ポリ袋固定機構の端面と間隔を保持する
ことを特徴とする、
請求項１に記載のポリ袋収納／取出し装置。
【請求項７】
前記袋ロッキング機構は、モーターを有し、前記モーターを制御することで前記ポリ袋固定機構を連動し、順方向にローリングしてロックを解除し、前記ポリ袋を外へと引き出し、前記モーターがローリングを停止すると、前記ポリ袋固定機構に対するロックを保持する
ことを特徴とする、
請求項１に記載のポリ袋収納／取出し装置。
【請求項８】
前記袋ロッキング機構は、抵抗力機構を有し、前記抵抗力機構は、制動オイル、係合フック摩擦面或いは磁石吸着抵抗力である
ことを特徴とする、
請求項１に記載のポリ袋収納／取出し装置。
【請求項９】
前記ポリ袋固定機構は、ロール芯固定軸を有し、前記ロール芯固定軸は、前記ロール連続ポリ袋の固定に用い、
前記ロール芯固定軸は、前記ハウジングに相対してローリング可能なように設置され、
前記袋ロッキング機構は、前記ロール芯固定軸に対するロックを制御する
ことを特徴とする、
請求項１に記載のポリ袋収納／取出し装置。
【請求項１０】
ポリ袋収納／取出し装置とポリ袋の組合せは、請求項１に記載のポリ袋収納／取出し装置、及び前記ハウジング内に設置されるロール連続ポリ袋を有し、
前記ロール連続ポリ袋は、前記ポリ袋固定機構に定位され、しかも前記ポリ袋固定機構と同期してローリングし、前記ロール連続ポリ袋は、若干の連続性連接を備えるポリ袋で、
隣接するポリ袋の間には、切り取り線を設置し、前記ポリ袋上の少なくとも片側面には、露出式の袋開け口或いは切り取り可能な袋開け口を有し、前記袋開け口は、前記ポリ袋の上、下端の切り取り線の間に位置し、前記ポリ袋は、選択的に前記袋取り出し口から伸び出し、これにより開口は外側に露出し、前記ポリ袋は、前記ポリ袋収納／取出し装置の外部に掛かり収納に用いられる
ことを特徴とする、
ポリ袋収納／取出し装置とポリ袋の組合せ。
【考案の詳細な説明】
【技術分野】
【０００１】
本考案はポリ袋技術領域に関し、車載使用されるが、それに限定されないポリ袋収納／取出し装置及びそれとポリ袋の組合せに関する。
【背景技術】
【０００２】
現在ロール式のポリ袋は、食品用プラスチック袋、ゴミ袋などに幅広く応用されている。
それらは通常は、巻き取りロール上に連続して巻き付けられる。
巻き取りロールは一般に空心円柱体構造で、使用時には、巻き取りロールをシャフト上に通して、使用者は手でポリ袋を引き出し、切り取り線に沿って破り取り、次にポリ袋の開け口位置を揉み、指で袋開け口を開く。
ゴミ袋として使用する場合には、開け口を開けた後のゴミ袋を、さらにゴミ箱内に嵌め入れて収納に用いる。
【０００３】
しかし実際の使用時に、以下の問題が発見された。
１．ゴミ箱が嵩張る。
２．ロール式ポリ袋は単独で片付ける必要があるため、場所を取るだけでなく管理が面倒で、どこに片付けたか忘れ易く、ポリ袋を探すために時間を無駄にするという現象も生じることがある。
３．ポリ袋は使用の度に逐一破り取り、口を開け、ゴミ箱に掛けるなどの一連の動作が必要で、操作が面倒である。
【考案の概要】
【考案が解決しようとする課題】
【０００４】
前記先行技術には、ゴミ箱が嵩張り、単独で片付ける必要があるため場所を取り管理が面倒で、片付けた場所を忘れ易く、探すために時間を無駄にするという現象も生じることがあり、使用の度に逐一破り取り、口を開け、ゴミ箱に掛けるなどの一連の動作が必要で、操作が面倒だという欠点がある。
【課題を解決するための手段】
【０００５】
本考案は袋ロッキング機構の設置により、ポリ袋収納と取り出し後のポリ袋をそのまま掛けて使用する機能を兼ね備え、ポリ袋の収納と使用を巧妙に一体化し、場所をとらず、操作も便利であるポリ袋収納／取出し装置及びそれとポリ袋の組合せに関する。
【０００６】
本考案によるポリ袋収納／取出し装置は、ハウジング、ポリ袋固定機構、袋ロッキング機構を有する。
ハウジングは、袋取り出し口を有する。
ポリ袋固定機構は、ロール連続ポリ袋の固定に用い、該ポリ袋固定機構は、ハウジングにローリング可能なように設置される。
袋ロッキング機構は、ハウジングに設置され、ポリ袋固定機構のローリングに選択的に用いられる。
袋ロッキング機構が、ポリ袋固定機構をロックすると、ロール連続ポリ袋は、ポリ袋固定機構に従いローリングすることはない。
ポリ袋固定機構に対する袋ロッキング機構のロックを解除すると、ロール連続ポリ袋は、ポリ袋固定機構に従い、ローリングする。
【０００７】
ポリ袋収納／取出し装置とポリ袋の組合せは、ポリ袋収納／取出し装置、及びハウジング内に設置するロール連続ポリ袋を有する。
該ロール連続ポリ袋は、ポリ袋固定機構に定位され、しかもポリ袋固定機構と同期してローリングする。
該ロール連続ポリ袋は、若干の連続性連接を備えるポリ袋である。
隣接するポリ袋の間には、切り取り線を設置する。
該ポリ袋上の少なくとも片側面には、露出式の袋開け口或いは切り取り可能な袋開け口を有する。
該開口は、ポリ袋の上、下端の切り取り線の間に位置する。
該ポリ袋は、選択的に袋取り出し口から伸び出し、これにより開口は外側に露出し、該ポリ袋は、ポリ袋収納／取出し装置外部に掛かり收納に用いられる。
【０００８】
従来の技術と比較し、本考案には明らかな長所と効果がある。
上述の技術方案から分かるように、具体的には以下の通りである。
一、袋ロッキング機構の設置により、ポリ袋収納／取出し装置はポリ袋収納と取り出し後のポリ袋をそのまま掛けて使用する機能を兼ね備え、ポリ袋の収納と使用を巧妙に一体化し、場所をとらず、操作も便利である。
二、引込機構の設置により、ポリ袋を袋取り出し口から内側へと引き込みローリングし、ポリ袋が正常に取り出されず、過多となる問題を解決でき、選択に基づき、一部或いは全部のポリ袋をハウジング内に隠してしまうことができる。
三、ポリ袋の少なくとも片側面には、露出式の袋開け口或いは切り取り可能な袋開け口を有し、開口は、ポリ袋の上、下端の切り取り線の間に位置し、取り出し後は、開口から物品を入口に入れ、ポリ袋内に物品を入れた後、使用者はポリ袋の上端の切り取り線に沿って、ポリ袋を入れられた物品といっしょに破り取ることができ、操作が便利で実用的である。
四、この種のポリ袋及び装置及び方法は、車内等の狭い空間での使用に適している。
【図面の簡単な説明】
【０００９】
【図１】本考案による第一実施形態の構造模式図（プッシュ式同側引込袋）である。
【図２】本考案による第一実施形態の別種の角度の構造模式図である。
【図３】本考案による第一実施形態の断面構造模式図である。
【図４】本考案による第一実施形態の分解構造模式図である。
【図５】本考案による第一実施形態の局部断面構造模式図（ロック状態）である。
【図６】本考案による第一実施形態の別種の局部断面構造模式図（ロック解除状態）である。
【図７】本考案による第一実施形態の局部分解構造模式図である。
【図８】本考案による第二実施形態の局部断面構造模式図（プッシュ式非引込袋）である。
【図９】本考案による第二実施形態の局部分解構造模式図（プッシュ式非引込袋）である。
【図１０】本考案による第三実施形態の局部断面模式図（プッシュ式反対側引込袋）である。
【図１１】本考案による第四実施形態の局部分解構造模式図（斜めボタン式非引込袋）である。
【図１２】本考案による第四実施形態の別種の局部分解構造模式図（斜めボタン式非引込袋）である。
【図１３】本考案による第一実施形態の取り付け定位部の構造模式図である。
【図１４ａ】本考案による第五実施形態に配置するポリ袋の分解構造模式図（ロール芯を含む）である。
【図１４ｂ】図１４ａに示すポリ袋の製造工程の状態変化模式図である。
【図１５】図１４ａに示すポリ袋の別種の製造工程の模式図である。
【図１６】本考案による第六実施形態の局部分解構造模式図（電動式）である。
【図１７】本考案による第七実施形態の局部分解構造模式図（スライドブロック式非引込袋）である。
【図１８】本考案による第八実施形態の局部分解構造模式図（シンプルロータリーノブ式）である。
【図１９】本考案による第九実施形態の局部分解構造模式図（ロータリーノブ式）である。
【図２０】本考案による第九実施形態の別種の局部分解構造模式図（ロータリーノブ式）である。
【図２１】本考案による第十実施形態の別種の局部分解構造模式図（係合フック式）である。
【図２２】本考案による第十一実施形態の別種の局部分解構造模式図（磁石吸着式）である。
【図２３】本考案による第十二実施形態の別種の局部分解構造模式図（制動オイル式）である。
【図２４】本考案による第十二実施形態の断面構造模式図（制動オイル式）である。
【考案を実施するための形態】
【００１０】
（一実施形態）
本考案の多種の実施形態の具体構造は図１〜図２４に示す。
ポリ袋収納／取出し装置は、ハウジング、ポリ袋固定機構及び袋ロッキング機構を有する。
ハウジングは、袋取り出し口を有し、ポリ袋固定機構はは、ロール連続ポリ袋の固定に用いる。
ポリ袋固定機構は、ハウジングにローリング可能なように設置される。
袋ロッキング機構は、ハウジングに設置され、ポリ袋固定機構のローリングのロックに選択的に用いられる。
【００１１】
ポリ袋収納／取出し装置の使用時には、ハウジング内に、ロール連続ポリ袋を取り付ける。
ロール連続ポリ袋は、若干の連続性連接を備えるポリ袋である。
袋ロッキング機構が、ポリ袋固定機構をロックすると、ロール連続ポリ袋は、ポリ袋固定機構に従いローリングすることはない。
ポリ袋固定機構に対する袋ロッキング機構のロックを解除すると、ロール連続ポリ袋は、ポリ袋固定機構に従い、ローリングする。
通常、隣接するポリ袋の間には、切り取り線を設置する。
ポリ袋上の少なくとも片側面には、露出式の袋開け口或いは切り取り可能な袋開け口を有する。
袋開け口は、ポリ袋の上、下端の切り取り線の間に位置する。
ハウジングは、筒状を呈し、その内部一端には、ロール芯定位端を有し、内部の反対端には、ポリ袋固定機構、袋ロッキング機構を設置する。
ロール連続ポリ袋は一般には、ロール芯に巻きつけて設置され、ポリ袋固定機構は、ロール芯固定軸を有し、ロール芯固定軸をロール芯内に入れ、ロール連続ポリ袋をハウジング内に定位する。
ポリ袋固定機構（即ちロール芯固定軸）に対する袋ロッキング機構のロックにより、それはローリング不能となる。
これにより、既に引き出されたポリ袋は、ポリ袋収納／取出し装置に懸設され、ロール連続ポリ袋の下方にそのまま掛けて設置されて使用でき、袋開け口内に物品やゴミ等を入れることができる。
その後、ポリ袋を切り離し、内部に入れた物といっしょに持ち去るだけで良い（従来の方式のように、破り取った袋を、さらにゴミ箱などに嵌めて設置する必要がない）。
次のポリ袋を使用する必要がある時には、袋ロッキング機構に対してロックを解除する。
そのロック解除の操作方式は、多種で、例えば、触発部により袋ロッキング機構の、ロール芯固定軸に対するロック解除をコントロールすることができる。
当然、ある種の接触抵抗式袋ロッキング機構においては、自然状態でポリ袋が普通に重みを受けた状態で、他の外力が作用しない時には、袋ロッキング機構がロール芯固定軸に対して生じる抵抗力は、ロール芯固定軸のローリングを防止できる。
使用者がポリ袋を引き動かす力がある設定値より大きい時には、抵抗力を打ち消すことができ、ポリ袋を袋取り出し口から引き出すことができる。
よって、この種の状況では、使用者が手で引く力をロック解除の方式とすることができる。
【００１２】
好ましくは、引込機構をさらに設置する。
引込機構は、引込ローリング部を有し、引込ローリング部は、袋ロッキング機構、ポリ袋固定機構を連動し、いっしょに反対方向へローリングされ、これによりポリ袋は袋取り出し口１０３から内側へと引き込まれローリングされる。
ポリ袋が、袋取り出し口１０３から外へと引き出されると、ポリ袋固定機構は順方向にローリングする。
引込機構と袋ロッキング機構は、ハウジングの同側或いは反対側に設置される。
【００１３】
続いて、図１〜図７に示す通り、第一実施形態の具体構造は、プッシュ式同側引込袋設計である。
ハウジング１１は、収納チャンバーを有する。
ハウジング１１の側面には、収納チャンバーを貫通する袋取り出し口１０３を設置する。
ハウジング１１の一端には、ロール芯定位端を有し、反対端は開口状に設置する。
ロール芯固定軸８、ボタン２は共にハウジング１１の一端において、開口位置に対応して設置され、しかもボタン２は、開口位置に露出するプッシュ部を有する。
ロール芯固定軸８は、ロール連続ポリ袋の定位に用いる。
ロール芯固定軸８は、ハウジング１１内にローリング可能なように取り付けられる。
ボタン２は、第一ローリング限定部を有する。
ボタン２を押すと、第一ローリング限定部は、ポリ袋固定機構のローリング方向において停止を形成する。
再度ボタン２を押すと、第一ローリング限定部は、ポリ袋固定機構のローリング方向における停止を解除する。
ここでは、ロール芯固定軸８は、第一方向停止部８１を有する。
ボタン２は、第二方向停止部２１を有する。
ボタン２を押すと、第二方向停止部２１は、第一方向停止部８１に制限され、ロール芯固定軸８はロックされローリングできない。
再度、ボタン２を押すと、第二方向停止部２１は、第一方向停止部８１から離脱し、ロール芯固定軸８に対するロックは解除される。
【００１４】
ハウジング１１の一端或いは反対端には、引込機構をさらに設置する。
引込機構は、引込ローリング部を有し、引込ローリング部は、ハウジング１１に相対し、ローリング可能なように設置される。
ボタン２が、ロール芯固定軸８をロックすると、引込ローリング部は、ロール芯固定軸８、ボタン２を連動し、同期反対方向へローリングを行い、これによりポリ袋は袋取り出し口１０３から内側へと引き込まれローリングされる。
ポリ袋が、袋取り出し口１０３から外へと引き出されると、ロール芯固定軸８は順方向にローリングする。
ハウジング１１には、引込ローリング部と対応する弾性リング部６２を設置し、弾性リング部６２は、周囲に沿って設置される若干の弾性突起６２１を有する。
引込ローリング部は、弾性リング部６２に嵌めて設置され、しかも外力の駆動作用下で、引込ローリング部は、弾性リング部６２に沿って、ローリング可能なように設置される。
【００１５】
第一実施形態では、図４と図７に示す通り、ロータリーキャップ１、ボタン２、ボタンスリーブ３、セルフロックスイッチ４、セルフロック位置限定部材５、外蓋６、内蓋７、ロール芯固定軸８、連接固定部材９、ロール芯１０、ハウジング１１、ハウジング端蓋１２、中間バッククリップ１３、右側バッククリップ１４、左側バッククリップ１５、粘着剤１６、固定部材１７を有する。
ロール連続ポリ袋１８は、ロール芯１０上に巻きつけて設置される。
引込ローリング部は、ロータリーキャップ１である。
組み立て時には、ハウジング端蓋１２をハウジング１１の一端に設置し、連接固定部材９をハウジング１１の反対端に設置する。
実際の設計時には、ハウジング端蓋１２、ハウジング１１、連接固定部材９を一体式のハウジングとして設計でき、そうすればハウジングの反対端に開口を形成し、ロール芯固定軸、ボタンを設置するだけで良い。
ハウジング内には、ロール芯１０を有するロール連続ポリ袋１８を設置し、ハウジングの一端には、ロール芯固定軸８及び袋ロッキング機構を設置する。
ボタン２を押し、袋ロッキング機構を連動し、ポリ袋固定機構に対するロック、解除ロックの２種の状態を切り換える。
具体的には、ボタン２、ボタンスリーブ３、セルフロックスイッチ４三者を一体に組み立て、ボタンアセンブリを形成する。
ボタンアセンブリは、ロータリーキャップ１内に設置され、ロータリーキャップ１に沿って水平にプッシュ移動する。
ボタン２の端面は、ロータリーキャップ１の外端に露出する。
第二方向停止部２１は、ボタンスリーブ３の内壁面上に形成され、それに対応し、第一方向停止部８１は、ロール芯固定軸８の外壁面上に形成される。
【００１６】
図５に示す通り、セルフロックスイッチ４は、弾性グリップを有する。
ロック状態下では、セルフロックスイッチ４は、自然状態にあり、弾性グリップは、セルフロック位置限定部材５から離れている。
図６に示す通り、ボタン２を押すと、ボタンスリーブ３、セルフロックスイッチ４は共にプッシュ方向に沿って移動する。
第二方向停止部２１は、第一方向停止部８１から離脱し、ロックを解除する。
セルフロックスイッチ４の弾性グリップが、セルフロック位置限定部材５に押されて変形すると、弾性グリップは、セルフロック位置限定部材５上にひっかかる。
図５に示す通り、さらにボタン２を押すとリリースされ、セルフロックスイッチ４は弾性復位し、ボタンスリーブ３、ボタン２の復位を連動し、第二方向停止部２１は、第一方向停止部８１に制限される。
【００１７】
ここでは、セルフロック位置限定部材５は、端板５１及び端板５１に連接される外環壁５２、内環壁５３を有する。
外環壁５２は、内環壁５３を取り囲んで設置される。
端板５１上の、内環壁５３に対応し取り囲む区域には、第一譲位孔５４を開設し、内環壁５３と外環壁５２に対応し取り囲む区域には、第二譲位孔５５を開設する。
内環壁５３の内側には、セルフロック位置限定部５６を延伸する。
セルフロックスイッチ４は、第一譲位孔５４から進入し、選択的にセルフロック位置限定部５６に対応する。
ボタンスリーブ３は、第二譲位孔５５から内環壁５３と外環壁５２の間に進入する。
ロール芯固定軸８の端部には、端部環状壁８２を有する。
第一方向停止部８１は、端部環状壁８２の外表面に形成され、端部環状壁８２は、内環壁５３の外周に対応し、しかも内環壁５３と外環壁５２の間に位置する。
端部環状壁８２の一端部は、端板５１に制限される。
【００１８】
セルフロック位置限定部材５の外環壁５２は、外蓋６に組み立てられる。
外蓋６は、環状槽６１及び弾性リング部６２を有する。
外蓋６は、連接固定部材９上に組み立てられ、しかも相対する両者の相対固定を保持する。
内蓋７は、外蓋６に組み立てられる。
内蓋７は、端部環状壁８２の反対端部に対応する。
通常、外蓋６、内蓋７、連接固定部材９、ハウジング１１及びハウジング端蓋１２は相互に組み立てた後に定位し、相対固定部分とする。
セルフロック位置限定部材５の構造は巧妙で、端部環状壁８２、ボタンスリーブ３、セルフロックスイッチ４の組み立て定位までに関わり、構造の堅固性は高い。
ロータリーキャップ１は引込ローリング部とするが、当然、袋ロッキング機構の外パッケージ部分とすることもできる。
ロータリーキャップ１の内部は中空で、しかも両端は貫通し、ロータリーキャップ１の一端には、凸リブ１１を有し、環状槽６１内に対応する。
これにより、外蓋６上からのロータリーキャップ１の脱落を防止し、ロータリーキャップ１の内壁面には、水平に延伸するガイドリブを設置し、ボタンスリーブ３外周のガイド槽に対応する。
これにより、プッシュ動作時には、ボタンスリーブ３はガイドリブに沿って移動し、同時に、ガイドリブとガイド槽の対応によっても、ロータリーキャップ１のローリング時に、同期にボタンスリーブ３、ボタン２、セルフロックスイッチ４、セルフロック位置限定部材５、ロール芯固定軸８を連動していっしょにローリングさせられる。
弾性突起６２１の設置により、自然状態下で、ロータリーキャップ１はローリングできず、外力（例えば、使用者が手でロータリーキャップを回すなど）を借りなければ、弾性突起６２１の弾力を克服し、ロータリーキャップ１のローリングを形成することはできない。
【００１９】
図１〜図４、及び図１３に示す通り、ハウジングには、ポリ袋収納／取出し装置全体の取り付けに用いる取り付け定位部を連接する。
ハウジングの外側には、ハウジングに沿って延伸する連接槽１０４を設置し、連接槽１０４は、両端槽口及び下側槽口を有する。
さらに、第一バッククリップと／或いは第二バッククリップを設置する。
第一バッククリップは、連接槽内の両内壁面に対応する。
第二バッククリップは、連接槽内の内、外壁面に対応する。
第一バッククリップは具体的には、中間バッククリップ１３で、第二バッククリップは具体的には、右側バッククリップ１４、左側バッククリップ１５である。
実際の設計時には、第一バッククリップ、第二バッククリップは、任意の一個或いは２個兼具を選択でき、及びハウジング１１、中間バッククリップ１３、右側バッククリップ１４、左側バッククリップ１５、ハウジング端蓋１２、連接固定部材９は、一体成形とすることができる。
すなわち、ハウジング上に一体に取り付け定位部を設置し、或いは取り付け定位部を組み立てることができる。
ここでは、粘着剤１６は固定部材１７の後側に設置し、固定部材１７は、中間バッククリップ１３上に設置する。
粘着剤１６を利用し、適した位置（通常は滑らかな平面）に粘着させて設置できる。
右側バッククリップ１４、左側バッククリップ１５はグリップ式構造で、適した位置に挟んで定位を達成する。
事実上は、取り付け定位部は、これら部材の設置に限定されず、他の可行の取り付け構造（磁石吸着定位等）を採用することもでき、ポリ袋収納／取出し装置全体を定位或いは設置できれば、それで良い。
【００２０】
続いて、図８と図９に示す通り、第二実施形態の具体構造は、プッシュ式非引込袋設計である。
第一実施形態との主な違いは、以下の通りである。
第二実施形態では、ボタン２、ボタンスリーブ３、セルフロックスイッチ４、セルフロック位置限定部材５’、内蓋７’は、相互間は、ローリング制限構造を通してローリングできない。
蓋１’は、ボタン２、ボタンスリーブ３、セルフロックスイッチ４、セルフロック位置限定部材５’の外周に位置し、しかも蓋１’はセルフロック位置限定部材５’に相対してローリングできる。
よって、操作時に、蓋１’にローリング外力を加えても、蓋１’は空転し、ロール芯固定軸８を反対方向へとローリングさせる目的を達成することはできない。
ここでは、ボタン２、ボタンスリーブ３、セルフロックスイッチ４の三者を連接して一体に組み立てる。
ボタンスリーブ３は、セルフロック位置限定部材５’の第二譲位槽内に挿入し、相互回転制限を形成する。
セルフロック位置限定部材５’には槽位５１’を設置し、内蓋７’の延伸部７１’を挿入し、相互回転制限を形成する。
内蓋７’は固定部材９’に相対して連接されローリングする。
【００２１】
続いて、図１０に示す通り、第三実施形態の具体構造は、プッシュ式反対側引込袋設計である。
引込機構と袋ロッキング機構を、ハウジングの反対側に設置する。
ポリ袋固定機構に対する袋ロッキング機構のロック状態を解除することで、引込ローリング部は、ポリ袋固定機構を連動し、反対方向へローリングし、これによりポリ袋は袋取り出し口から内側へと引き込まれローリングされる。
【００２２】
具体的には、それと第二実施形態との主な違いは、以下の通りである。
ハウジング１１のハウジング端蓋を引込ロータリーノブ１２’に変え、引込ロータリーノブ１２’は、ハウジング１１に相対してローリング可能なように設置する。
引込ロータリーノブ１２’は、ハウジング１１内部の収納チャンバーに挿入され、ロール芯定位端を提供する。
そのロール芯定位端は、嵌入セクションで、ロール芯の一端内に緊密に対応する。
こうして、引込ロータリーノブ１２’を反対方向へローリングすると、ポリ袋に対する引込を実現できる。
反転動作時には、ロール芯、ロール芯固定軸８、ボタン２、ボタンスリーブ３、セルフロックスイッチ４、セルフロック位置限定部材５’、内蓋７’はいっしょに固定部材９’に相対連接しローリングする。
引込ロータリーノブ１２’は、ハウジング１１の端部に直接取り付けられ、ハウジング１１の端部に固定連接部材を取り付け、引込ロータリーノブ１２’を、固定連接部材上に取り付ける。
【００２３】
続いて、図１１及び図１２に示す通り、第四実施形態の具体構造は、傾斜ボタン式設計である。
第四実施形態と第一実施形態との主な違いは、袋ロッキング機構の違いである。
ボタン２”は軸線に対して傾いて設置される。
第二方向停止部２１”は、ボタン２”の内側、軸線に対応する片側に設置される。
ボタン２”の片側を押すと、ボタン２”は片側に沿って偏り、第二方向停止部２１”は、第一方向停止部８１”に制限され、ロール芯固定軸８”をロックする。
ボタン２”のもう一方の側を押すと、ボタン２”はもう一方の側に沿って偏り、第二方向停止部２１”は、第一方向停止部８１”から離脱し、ロール芯固定軸８”に対するロックを解除する。
第一方向停止部８１”はロール芯固定軸８”の端面に形成される。
ボタン２”の内側外周において、第一方向停止部に対応し、第一定位係合フック２２”を設置する。
ボタン２”の内側外周において、第一定位係合フック２２”に対応する側に、第二定位係合フック２３”を設置する。
ハウジングに、第一定位係合槽１０１”、第二定位係合槽１０２”を設置する。
ボタン２”を押すと、対応して形成される第一定位係合フック２２”、第二定位係合フック２３”の両者の内の一つは、定位係合槽に対応し、もう一方は、相互対応する定位係合槽から脱出する。
【００２４】
同様に、第三実施形態に示す通り、ハウジング１１の端部に、ハウジング端蓋或いは引込ロータリーノブを設置し、非引込袋構造或いは反対側引込構造を実現することができる。
【００２５】
続いて、図１４ａ及び図１５は、第五実施形態の配置のポリ袋構造を示す。
当然、本文に記載する各種のポリ袋収納／取出し装置は共に、この種のポリ袋を配置することができる。
ポリ袋はロール連続ポリ袋で、若干の連続して連接しロールとなったポリ袋１０１を有する。
通常、若干の連続して連接しロールとなったポリ袋は、ロール芯１０を巡りロール体を形成する。
ロール芯１０の少なくとも一端には、組み立てチャンバーを有する。
ここでは、ロール芯１０は、中空式ロール芯で、中空部位はロール芯１０の左、右端を貫通し、組み立てチャンバーの内壁面には、緊密対応に利する若干の凹凸紋を設置する。
当然、ロール芯は一部空心とでき、連接端部のみに空心を設置する。
【００２６】
隣接するポリ袋１０１の間には、切り取り線２０１を設置する。
ポリ袋１０１上の少なくとも片側面に、露出式の袋開け口１１１或いは切り取り可能な袋開け口を有する。
袋開け口１１１は上向きに設置される。
ポリ袋１０１の袋開け口１１１は、一個、或いは２個以上設置される。
各袋開け口１１１には、収容設置空間を下向きに連通し、また２個以上の袋開け口１１１が下向きに共同の収容設置空間にそれぞれ連通することもできる。
袋開け口１１１を設置する時には、２個以上の袋開け口１１１を左右に並べて配置し、或いは上下に間隔を開けて設置することができる。
当然、左右、上下に共に設置することもできる。
上記の左右に並べた配置、上下に間隔を開けた配置は正面対応に限定されず、いくらか偏った位置でも構わない。
【００２７】
図１４ｂに示す通り、切り取り線２０１の左、右端とポリ袋１０１の相互対応する左、右端には共に有連続連接部２ａ”を保留する。
具体的に言うと、若干の連続して連接しロールとなったポリ袋１０１は、重ねて設置されるフロントフィルム１０２１、リアフィルム１０１１を有する。
フロントフィルム１０２１、リアフィルム１０１１の左、右側辺は、相互に対応して連接される。
フロントフィルム１０２１、リアフィルム１０１１の延伸長さ方向に沿って、間隔を開けて、若干のシーリング線２ａ’を形成する。
切り取り線２０１は、シーリング線２ａ’の下方に位置する。
切り取り線２０１は、フロントフィルム１０２１、リアフィルム１０１１にいっしょに形成される。
フロントフィルム１０２１上の切り取り線２０１は開き、前述の袋開け口１１１を形成する。
切り取り線２０１は共にフロントフィルム１０２１、リアフィルム１０１１の左、右端まで延伸しない。
隣接する両側のポリ袋１０１の間は、フロントフィルム１０２１上の袋開け口１１１両端部位を通して連接を形成し、及びリアフィルム１０１１の切り取り線２０１両端部位を通して、連接を形成する。
製造時には、先ず中空フィルムを柱状物に掛けて袋体を形成し、次に袋体を押し潰し、続いて順番にシーリング線２ａ’、切り取り線２０１を作る。
ここでの切り取り線２０１は点線である。
続いて、フロントフィルム１０２１の点線を破いて開き、前述の袋開け口１１１を形成する。
よって、袋開け口１１１と切り取り線２０１両者位置は同一平面である。
【００２８】
第一実施形態の製造方式において、２個以上で、並列設置される袋開け口１１１を製造するなら、シーリング線２ａ’を形成する時に、隣接する袋開け口位置の間の分隔線は同時に形成される。
続いて袋開け口１１１を開けば、多数の袋開け口１１１が異なる収容設置空間に連通する。
【００２９】
図１５は、ポリ袋１０１の別種の製造工程模式図を示す。
製造時には、フロントフィルム１０２１、リアフィルム１０１１を重ねて複合する。
ラミネート方式を採用して複合でき、主にプラスチック袋等に適用される。
ポリ袋の材質には制限はなく、巻き取り可能な材質なら可能で、通常はフレキシブルな材質である。
フロントフィルム１０２１、リアフィルム１０１１の連接区域は、順番に連接する多数のプレスリング（例えば、矩形リング、或いは他の形状の環状）である。
続いて、プレスリングに取り囲まれた区域内の、上端に近い位置には、切り取り線２０１を形成する。
切り取り線２０１は、通常はフロントフィルム１０２１、リアフィルム１０１１を貫通する。
さらに、フロントフィルム１０２１を切り取り線２０１位置から開き、袋開け口１１１（リアフィルム１０１１の間断線は開かない）を形成する。
隣接する両側のポリ袋１０１の間の、両側位置は、プレスによりそれぞれ完全に連接され、連続連接部２ａ”を形成する。
こうして、その製造過程は簡単で、大量生産に適している。
プレスリングにより、ポリ袋１０１の周辺連接の信頼性を確保し、同時にポリ袋１０１を懸設して使用する際には、両側のプレス位置により、連接の強度、受力のバランス、使用の安全性をさらに強化することができる。
ポリ袋１０１を破り取る時には、両側の狭い位置が完全に連接しているだけであり、中央の大部分の区域は点線で連接しているだけであるため、簡単に破り取ることができる。
【００３０】
続いて、図１６に示す通り、第六実施形態の具体構造は、電動式設計である。
第六実施形態と第一実施形態との主な違いは、袋ロッキング機構の違いである。
【００３１】
袋ロッキング機構は、モーター３０を有し、モーター３０を制御することで、ポリ袋固定機構を連動し、順方向にローリングしてロックを解除し、ポリ袋を外へと引き出す。
モーター３０がローリングを停止すると、ポリ袋固定機構に対するロックを保持する。
ここでは、ロール芯固定軸に、歯車３１を連接し、モーター３０の出力端には、ウォームギヤ３２を連接する。
ウォームギヤ３２を通して、歯車３１のローリングを連動する。
モーター殼３３の外部には、触発スイッチ３４を設置し、触発スイッチ３４を押すことで、モーターをオン／オフする。
例えば、奇数、偶数操作を通して、モーターのオン／オフを制御する。
また、多数の触発スイッチを設置し、モーターのオン／オフをそれぞれ制御することもできる。
【００３２】
続いて、図１７に示す通り、第七実施形態の具体構造は、スライドブロック式設計である。
第七実施形態と第一実施形態との主な違いは、袋ロッキング機構の違いである。
【００３３】
袋ロッキング機構は、スライドブロック４０を有し、スライドブロック４０を動かし袋ロッキング機構を連動し、ポリ袋固定機構に対するロック、解除ロックの２種の状態を切り換える。
スライドブロック４０は、第二ローリング限定部４１を有する。
順方向にスライドブロック４０を動かすと、第二ローリング限定部４１は、ポリ袋固定機構のローリング方向において停止を形成する。
反対方向にスライドブロック４０を動かすと、第二ローリング限定部４１は、ポリ袋固定機構のローリング方向における停止を解除する。
具体的には、第二ローリング限定部４１とロール芯固定軸４２のロック及びロック解除関係を示す。
スライドブロック４０は蓋４３に沿って左右に推移され、蓋４３上には、第二ローリング限定部４１が進入する欠口を設置する。
ロール芯固定軸４２の外周には、間隔を開けて設置される若干の凸歯を有し、隣接する凸歯間の槽には、第二ローリング限定部４１が進入しロックを形成する。
【００３４】
続いて、図１８に示す通り、第八実施形態の具体構造は、簡単ロータリーノブ式設計である。
第八実施形態と第一実施形態との主な違いは、袋ロッキング機構の違いである。
【００３５】
袋ロッキング機構は、ロータリーノブ５０を有し、ロータリーノブ５０をローリングすることで、袋ロッキング機構を連動し、ポリ袋固定機構に対するロック、解除ロックの２種の状態を切り換える。
【００３６】
ロータリーノブ５０はハウジング５０１上にネジ山連接し、ロータリーノブ５０は、第三ローリング限定部５１”を有する。
順方向にロータリーノブ５０を回すと、第三ローリング限定部５１”は、ポリ袋固定機構の端面５０２に至るまでポリ袋固定機構５２へと移動し、接触して緊密に係合され、ポリ袋固定機構は、ローリングできなくなる。
反対方向にロータリーノブ５０を回すと、第三ローリング限定部５１”は、ポリ袋固定機構から離れ、ポリ袋固定機構の端面と間隔を保持する。
【００３７】
続いて、図１９及び図２０に示す通り、第九実施形態の具体構造は、相対的にいくらか複雑なロータリーノブ式設計である。
第九実施形態と第八実施形態との主な違いは、以下の通りである。
ロール芯固定軸６１’の端面に、若干の歯槽６２’を設置し、ロータリーノブ６３の歯槽６２’に向かった内端面に、若干の凸歯６４を設置する。
順方向にロータリーノブ６３を回すと、凸歯６４は歯槽６２’に向かい移動し歯槽６２’に係合し、ロール芯固定軸６１’は、ローリングできなくなる。
反対方向にロータリーノブ６３を回すと、凸歯６４は歯槽６２’から離れ、ロックは解除される。
ロータリーノブ６３の内側には、内ネジ山を設置し、ハウジングの外周には、外ネジ山を設置し、或いは固定コネクター６５上に外ネジ山を設置することで、固定コネクター６５をハウジング６６上に設置し、これによりロータリーノブ６３を対応させる。
【００３８】
続いて、図２１〜図２４に示す通り、第十実施形態から第十二実施形態の具体構造は、簡単ロータリーノブ式設計である。
それらと第一実施形態との主な違いは、袋ロッキング機構の違いである。
袋ロッキング機構は、抵抗力機構を有する。
抵抗力機構においては、外力のない状況下で、ロール連続ポリ袋は抵抗力を受け、ハウジング１１に相対してローリングできず、外力はポリ袋を引っ張り、抵抗力機構に作用し、その抵抗力を打ち消す。
こうして、ポリ袋固定機構はローリングしロックを解除する。
抵抗力機構は、制動オイル、係合フック摩擦面或いは磁石吸着抵抗力等である。
【００３９】
図２１は、係合フック式の抵抗力機構を示す。
それは蓋１０”、連接固定部材９０”、内蓋７０”を有する。
ロール芯固定軸８０”の外周側面、蓋１０”の内周側面には、それぞれ凸凹摩擦面を設置し、若干の係合突起周囲に沿って摩擦面を形成することができる。
ポリ袋を引っ張るには十分に大きな外力が必要で、これにより係合フックの抵抗力を打ち消し、ポリ袋を引き出すことができる。
【００４０】
図２２は、磁石吸着式の抵抗力機構を示す。
それは、蓋１”、連接固定部材９”、内蓋７”を有し、ロール芯固定軸８”、蓋１”両者の相対側に、それぞれ磁石８０１”を設置し、磁石１０１１”は磁石吸着を形成する。
ポリ袋を引っ張るには十分に大きな外力が必要で、これにより磁石吸着の抵抗力を打ち消し、ポリ袋を引き出すことができる。
【００４１】
図２３と図２４は制動オイル式の抵抗力機構を示す。
それは、蓋１００”、連接固定部材９００”、内蓋７００”を有し、内蓋７００”は連接固定部材９００”に設置される。
蓋１００”と内蓋７００”は取り囲んで制動オイルチャンバーを形成し、内部に制動オイルを注入する。
ロール芯固定軸８００”は制動オイルチャンバー内に進入し、制動オイルはロール芯固定軸８００”のレバー８０２”に対して抵抗力を形成する。
ポリ袋を引っ張るには十分に大きな外力が必要で、これによりレバー８０２”に対する制動オイルの抵抗力を打ち消し、ポリ袋を引き出すことができる。
【００４２】
ポリ袋収納／取出し装置とポリ袋の組合せは、ポリ袋収納／取出し装置、及びハウジング１１内に設置するロール連続ポリ袋を有する。
ロール連続ポリ袋は、ポリ袋固定機構に定位され、しかもポリ袋固定機構と同期にローリングする。
ロール連続ポリ袋は、若干の連続性連接を備えるポリ袋１０である。
隣接するポリ袋の間には、切り取り線２０１を設置する。
ポリ袋１０１上の少なくとも片側面には、露出式の袋開け口或いは切り取り可能な袋開け口１１１を有する。
袋開け口１１１は、ポリ袋１０１の上、下端の切り取り線２０１の間に位置する。
ポリ袋１０１は、選択的に袋取り出し口１０３から伸び出し、これにより袋開け口１１１は外側に露出し、ポリ袋１０１はポリ袋収納／取出し装置外部に掛かり収納に用いられる。
【００４３】
ポリ袋収納使用方法は、ポリ袋収納／取出し装置とポリ袋の組合せに基づく。
ポリ袋固定機構に対する袋ロッキング機構のロックを解除し、ポリ袋を袋取り出し口１０３から引き出し、取り出しを実現する。
取り出し完成後、袋ロッキング機構は再度ポリ袋固定機構をロックし、ポリ袋固定機構及びロール連続ポリ袋はローリングできなくなり、取り出されたポリ袋は、ポリ袋収納／取出し装置外部に掛かり、収納に用いられる。
取り出されたポリ袋は、物を入れた後、ポリ袋１０１の上端の切り取り線２０１に沿って、中に入れた物といっしょにポリ袋を１０１を破り取り取り外す。
ポリ袋収納／取出し装置は好ましくは車内に設置される。
袋の交換時には、ハウジング１１両端の任意の一端を開き、ロール芯１０を取り出し、ロール状のポリ袋をロール芯１０上に嵌めて、また取り付ける。
【００４４】
前述した本考案の実施形態は本考案を限定するものではなく、よって、本考案により保護される範囲は後述される特許請求の範囲を基準とする。
【符号の説明】
【００４５】
１  ロータリーキャップ
１’  蓋
１”  蓋
１０  ロール芯
１０”  蓋
１００”  蓋
１０１  ポリ袋
１０１１”  磁石
１０１１  リアフィルム
１０１”  第一定位係合槽
１０２”  第二定位係合槽
１０２１  フロントフィルム
１０３  袋取り出し口
１０４  連接槽
１１  ハウジング
１１１  袋開け口
１２  ハウジング端蓋
１２’  引込ロータリーノブ
１３  中間バッククリップ
１４  右側バッククリップ
１５  左側バッククリップ
１６  粘着剤
１７  固定部材
１８  ロール連続ポリ袋
２  ボタン
２”  ボタン
２ａ’  シーリング線
２ａ”  連続連接部
２０１  切り取り線
２１  第二方向停止部
２１”  第二方向停止部
２２”  第一定位係合フック
２３”  第二定位係合フック
３  ボタン套
３０  モーター
３１  歯車
３２  ウォームギヤ
３３  モーター殼
３４  触発スイッチ
４  セルフロックスイッチ
４０  スライドブロック
４１  第二ローリング限定部
４２  ロール芯固定軸
４３  蓋
５  セルフロック位置限定部材
５’  セルフロック位置限定部材
５０  ロータリーノブ
５０１  ハウジング
５０２  端面
５１  端板
５１’  槽位
５１”  第三ローリング限定部
５２  外環壁
５３  内環壁
５４  第一譲位孔
５５  第二譲位孔
５６  セルフロック位置限定部
６  外蓋
６１  環状槽
６１’  ロール芯固定軸
６２  弾性リング部
６２’  歯槽
６２１  弾性突起
６３  ロータリーノブ
６４  凸歯
６６  ハウジング
７  内蓋
７’  内蓋
７”  内蓋
７０”  内蓋
７００”  内蓋
７１’  延伸部
８  ロール芯固定軸
８”  ロール芯固定軸
８０”  ロール芯固定軸
８００”  ロール芯固定軸
８０１”  磁石
８０２”  レバー
８１  第一方向停止部
８１”  第一方向停止部
８２  端部環状壁
９  連接固定部材
９’  連接固定部材
９”  連接固定部材
９０”  連接固定部材
９００”  連接固定部材
【図１】
0003230946.tif 000003
【図２】
0003230946.tif 000004
【図３】
0003230946.tif 000005
【図４】
0003230946.tif 000006
【図５】
0003230946.tif 000007
【図６】
0003230946.tif 000008
【図７】
0003230946.tif 000009
【図８】
0003230946.tif 000010
【図９】
0003230946.tif 000011
【図１０】
0003230946.tif 000012
【図１１】
0003230946.tif 000013
【図１２】
0003230946.tif 000014
【図１３】
0003230946.tif 000015
【図１４ａ】
0003230946.tif 000016
【図１４ｂ】
0003230946.tif 000017
【図１５】
0003230946.tif 000018
【図１６】
0003230946.tif 000019
【図１７】
0003230946.tif 000020
【図１８】
0003230946.tif 000021
【図１９】
0003230946.tif 000022
【図２０】
0003230946.tif 000023
【図２１】
0003230946.tif 000024
【図２２】
0003230946.tif 000025
【図２３】
0003230946.tif 000026
【図２４】
0003230946.tif 000027